(57)【要約】【課題】健常者だけではなく身障者など手の不自由な人にとっても、簡単、容易に蓋を開けることができるようにする。【解決手段】納豆を収納する凹孔状の本体部１と、この本体部１の開口上面を閉塞する蓋２とを、ヒンジ部３を介して一体状に接続する。本体部１と蓋２とを、周辺にフランジ１ａ、２ａを有して形成する。ヒンジ部３に、左右方向の両側の端部３ａを残して切れ目４を左右方向に延びて形成する。このヒンジ部３の両側の端部３ａの近傍で且つ本体部１と蓋２のフランジ１ａ、２ａの位置に、切れ目４の端４ａより内方の位置まで延びて本体部１と蓋２のフランジ１ａ、２ａを閉蓋時に上下方向に貫通する切り欠き５を形成する。【選択図】  図１
0003106762.tif 000002
【実用新案登録請求の範囲】
【請求項１】
納豆を収納する凹孔状の本体部と、この本体部の開口上面を閉塞する蓋とがヒンジ部を介して一体状に接続されると共に、本体部と蓋とが周辺にフランジを有して形成されている発泡スチロール製の納豆容器であって、上記のヒンジ部に、左右方向の両側の端部を残して切れ目が左右方向に延びて形成され、このヒンジ部の両側の端部の近傍で且つ本体部と蓋のフランジの位置に、上記の切れ目の端より内方の位置まで延びて本体部と蓋のフランジを閉蓋時に上下方向に貫通する切り欠きが形成されていることを特徴とする納豆容器。
【請求項２】
請求項１記載の納豆容器であって、切り欠きが、切れ目に沿って内方に直線状に延びるスリット部と、このスリット部の途中から入口側に向かってヒンジ部から遠い側の側縁が徐々にヒンジ部から遠ざけられて形成されている指掛かり部とで、平面から見て漏斗を二つ割りした形状に形成されていることを特徴とする納豆容器。
【考案の詳細な説明】
【技術分野】
【０００１】
本考案は、納豆容器に関し、更に詳しくは例えばカラシや出汁を入れた小袋と一緒に納豆を収納し、開封時は納豆をかき混ぜる器として使用できるよう形成した納豆容器に関するものである。
【背景技術】
【０００２】
従来この種の容器としては、例えば納豆を入れる部分と蓋とを、ヒンジ部を介して連接し、発泡スチロール樹脂で一体成形し、蓋を閉じた封緘状態において、容器表面のヒンジ部の近傍に、ヒンジ部と平行に破断し易い切り込みを入れたものがある（例えば特許文献１参照）。
【０００３】
ところで健常者にしてみれば些細で簡単、容易な開封作業であっても、身障者など手の不自由な者にとっては、その開封作業が非常に大変な場合がある。従ってこの種の容器は、手の不自由な者にとっても開封作業を、より簡単、容易にできるよう形成されているのが望ましい。
しかるに従来品は、上記の通り、切り込みをヒンジ部に形成しているのに過ぎなかったから、これによると切り込みに沿って蓋を切り離す操作が必要になり、身障者など手の不自由な者にとっては、この種の操作に手間暇がかかるのを避けられなかった。
【特許文献１】特開２００２−１２２８３号公報
【考案の開示】
【考案が解決しようとする課題】
【０００４】
本考案は、このような従来の実情に鑑みてなされたものである。
従って本考案の技術的課題は、健常者だけではなく身障者など手の不自由な人にとっても、簡単、容易に蓋を開くことができるよう形成した納豆容器を提供することにある。
【課題を解決するための手段】
【０００５】
本考案は、上記の課題を解決するために、次のような技術的手段を採る。
即ち本考案は、図１等に示されるように、納豆を収納する凹孔状の本体部１と、この本体部１の開口上面を閉塞する蓋２とがヒンジ部３を介して一体状に接続されると共に、本体部１と蓋２とが周辺にフランジ１ａ、２ａを有して形成されている発泡スチロール製の納豆容器であって、上記のヒンジ部３に、左右方向の両側の端部３ａを残して切れ目４が左右方向に延びて形成され、このヒンジ部３の両側の端部３ａの近傍で且つ本体部１と蓋２のフランジ１ａ、２ａの位置に、上記の切れ目４の端４ａより内方の位置まで延びて本体部１と蓋２のフランジ１ａ、２ａを閉蓋時に上下方向に貫通する切り欠き５が形成されていることを特徴とする（請求項１）。
【０００６】
ここで、切れ目４とは、切り離された箇所を意味し、具体的には線状やスリット状に切られることにより実現される。なお本考案の場合、本体部１及び蓋２は、発泡スチロールで形成されているのであれば、その外形状や厚さ等は任意である。
【０００７】
また本考案の場合、上記の切り欠き５は、切れ目４に沿って内方に直線状に延びるスリット部５ａと、このスリット部５ａの途中から入口側に向かってヒンジ部３から遠い側の側縁５ｂが徐々にヒンジ部３から遠ざけられて形成されている指掛かり部５ｃとで、平面から見て漏斗を二つ割りした形状に形成されているのが好ましい（請求項２）。
【０００８】
なぜならこれによると、指掛かり部５ｃに指先を入れてヒンジ部３の側に僅かな力を加えるだけで端部３ａを欠いて開くことができ、開封作業をより簡単、確実にできるからである。
【考案の効果】
【０００９】
本考案は、このように蓋と本体部とを切れ目と切り欠きとの間の僅かな部分で接続しているものであるから、ヒンジ部の両側の端部に少し力を加えるだけで、その接続状態を断つことができる。
従ってこれによると、身障者など手の不自由な人でも、簡単、容易に、且つ小さな力で蓋を本体部から切り離すことができる。
【考案を実施するための最良の形態】
【００１０】
以下、本考案の好適な一実施形態を、図１等に従って説明する。
１は、納豆を収納する凹孔状の本体部である。２は、この本体部１の開口上面を閉塞する蓋である。本体部１と蓋２とは、ヒンジ部３を介して一体状に接続されると共に、周辺にフランジ１ａ、２ａを有して発泡スチロールで形成されている。
【００１１】
而して上記のヒンジ部３には、左右方向の両側の端部３ａを残して切れ目４が左右方向に延びて形成されている。切れ目４は、この実施形態ではスリット状に形成されている。５は、本体部１と蓋２のフランジ１ａ、２ａを閉蓋時に上下方向に貫通する切り欠きである。この切り欠き５は、ヒンジ部３の両側の端部３ａの近傍で且つ本体部１と蓋２のフランジ１ａ、２ａの位置に、上記の切れ目４の端４ａより内方の位置まで延びて形成されている。またこの実施形態に係る切り欠き５は、切れ目４に沿って内方に直線状に延びるスリット部５ａと、このスリット部５ａの途中から入口側に向かってヒンジ部３から遠い側の側縁５ｂが徐々にヒンジ部３から遠ざけられて形成されている指掛かり部５ｃとで、平面から見て漏斗を二つ割りした形状に形成されている。
【００１２】
次に本考案の容器の使用例を説明する。
先ず使用者は、指先を指掛かり部５ｃに入れ、次にヒンジ部３の側に少し力を加える。すると切れ目４と切り欠き５との接続箇所が破断し、ヒンジ部３の両端が欠け落ちる（図１Ａの鎖線状態、図５参照）。これにより蓋２が本体部１から離れ、本体部１の上面が開口する（図２、図６参照）。従って使用者は、この状態で納豆の表面を覆っている薄い透明フィルム片６（図２等参照）、からし袋７、出汁袋８を取り出し、カラシや出汁を納豆に入れて混ぜ、その後、空の袋等を裏返した蓋２に載せ、蓋２を一時的なゴミ置きとして使用する。
【００１３】
以上の処において、本考案の場合、上記の切れ目４は、図８に示されるように、ヒンジ部３の中央部に平面から見て横長状に形成された切り欠き部４Ａと、上記と同様にヒンジ部の背にスリット状に形成された部分４Ｂとで形成されているのでも良い。
また本発明の場合、上記の切り欠き５の形状は、上例には限られない。即ち切り欠き５は、切れ目４の端４ａより内方の位置まで切り欠かれている状態であれば、その平面形状は任意である。
【図面の簡単な説明】
【００１４】
【図１】本考案の納豆容器の好適な一実施形態を示し、Ａは斜視図、Ｂは平面図である。
【図２】同上容器の蓋を切り離した状態の斜視図である。
【図３】同上容器の背面図である。
【図４】同上容器の左側面図である。
【図５】同上容器の使用状態を説明するための要部平面図である。
【図６】同上容器の蓋を切り離した状態の左側面図である。
【図７】同上容器の使用状態を説明するための斜視図である。
【図８】同上容器の切れ目の他の実施形態を示す平面図である。
【符号の説明】
【００１５】
１    本体部
１ａ  フランジ
２    蓋
２ａ  フランジ
３    ヒンジ部
３ａ  両側の端部
４    切れ目
４ａ  端
５    切り欠き
【図１】
0003106762.tif 000003
【図２】
0003106762.tif 000004
【図３】
0003106762.tif 000005
【図４】
0003106762.tif 000006
【図５】
0003106762.tif 000007
【図６】
0003106762.tif 000008
【図７】
0003106762.tif 000009
【図８】
0003106762.tif 000010